(57)【要約】【課題】衣服かけ具の脚の高さの調整を安易に行うことができるようにすることにある。【解決手段】主脚１４に外側に開放された支持孔２６が設けられ、他方、従脚に１６主脚１４の支持孔２６に向けて支持部材３０ｃが発条体３０ｂを介して弾装され、従脚１６を昇降させることにより、支持部材３０ｃが支持孔２６の位置に臨ませられたときに支持部材３０ｃが発条体３０ｂの弾発力により支持孔２６に装着されるようにしたものである。【選択図】　　　　図１
2004033512.tif 000002
【特許請求の範囲】
【請求項１】
高さを調整可能とした一対の脚が両側に備えられ、両側の一対の脚の上下間に横棒と補強杆がそれぞれ前記の一対の脚に対して直角方向であって、かつ、互いに平行に設けられた衣服かけ具において、
前記の一対の脚が大径の中空の主脚と該主脚内を昇降自在な従脚とからなり、
外側に開放された支持孔が前記の主脚に少なくとも１個設けられ、
他方、主脚の支持孔に向けて前記の従脚に支持部材が発条体を介して弾装され、
従脚を昇降させることにより、前記の支持部材が支持孔の位置に臨ませられたときに支持部材が発条体の弾発力により支持孔に装着されるようにしたことを特徴とする衣服かけ具。
【請求項２】
前記の発条体が前記の横棒と補強杆に平行に設けられてなることを特徴とする請求項１記載の衣服かけ具。
【請求項３】
前記の主脚の上方寄りに、外側から従脚に向けて摺動自在な締付具が設けられてなることを特徴とする請求項１または２記載の衣服かけ具。
【発明の詳細な説明】
【０００１】
【発明が属する技術分野】
この発明は、衣服かけ具における脚の高さを調整する機構に関する。
【０００２】
【従来の技術】
従来のこの種の衣服かけの脚の高さの調整機構は、図４に示されるように、中空の大径のパイプ４０内に中空の小径のパイプ４２が昇降自在に挿通されていた。
そして、中空の小径のパイプ４２に一定の間隔毎に複数個の支持孔４４が設けられる一方、大径のパイプ４０の外側につまみを備えたねじなどの締付具４６が摺動自在に設けられ、小径のパイプ４２を上下に昇降させることにより、前記した小径のパイプの支持孔４４を大径のパイプ４０に設けられた締付具４６に一致させ、ねじなどを回動させることにより、大径のパイプ４０と小径のパイプ４２を固定させて脚の高さを調整するようにされていた。
【０００３】
【発明が解決しようとする課題】
したがって、小径のパイプ４２に一定の間隔毎に支持孔４４を設ける一方、大径のパイプ４０にねじなどの締付具４６を設けることにより、脚の高さを調整できるものの、脚の高さを調整するには、小径のパイプ４２を昇降させつつその支持孔４４の位置と締付具４６の位置を手探りの状態で行わざるを得ないので、その作業は煩雑であった。
とりわけ、前記の支持孔４４は一般的に小さいものであるから、暗い室内や視力の弱い老人などにとってその作業は必ずしも安易ではなかった。
この発明が解決しようとする課題は、衣服かけ具の脚の高さの調整を安易に行うことができるようにすることにある。
他の課題は、衣服かけ具の脚の高さの調整を安易に行うことができるようにしつつ、併せて高さの調整機構を複雑化させないようにすることにある。
【０００４】
【課題を解決するための手段および作用効果】
上記の目的を達成するため、請求項１記載の衣服かけ具の発明は、高さを調整可能とした一対の脚が両側に備えられ、両側の一対の脚の上下間に横棒と補強杆がそれぞれ前記の一対の脚に対して直角方向であって、かつ、互いに平行に設けられた衣服かけ具において、前記の一対の脚が大径の中空の主脚と該主脚内を昇降自在な従脚とからなり、前記の主脚に外側に開放された支持孔が少なくとも１個設けられ、他方、前記の従脚に主脚の支持孔に向けて支持部材が発条体を介して弾装され、従脚を昇降させることにより、前記の支持部材が支持孔の位置に臨ませられたときに支持部材が発条体の弾発力により支持孔に装着されるようにしたことを特徴とするものである。
【０００５】
請求項１記載の衣服かけ具の発明は、上記の構成であるから、従脚を上下に昇降させることにより、従脚に発条体を介して設けられた支持部材が主脚に設けられた支持孔の位置に達すると何らの操作を行うことなく、発条体の弾発力の作用を受けて支持部材が主脚の支持孔に係合されることにより、従脚を支持部材を介して主脚に固定できるから、脚の高さの調整を従来例に比較して楽に行うことができる。
その上、高さの調整機構は、主脚に支持孔を設ける一方、従脚には発条体を介して支持部材を設けることにより構成できるから、その機構が複雑化しない。
【０００６】
請求項２記載の衣服かけ具の発明は、請求項１記載の衣服かけ具の発明において、前記の発条体が前記の横棒と補強杆に平行に設けられてなることを特徴とするものであるが、前記の発条体は常態では支持部材が主脚の支持孔に係合され、発条体が伸張した状態にあるから、その弾発応力は横棒および補強杆と平行方向に奏するので、その応力に追従して主脚と従脚からなる脚が僅かではあるものの、左右方向に撓むおそれがある。
【０００７】
しかし、請求項１記載の発明が奏する作用効果のほかに、主脚と従脚からなる両側一対の脚は、前記した横棒および補強杆によっって支えられているから、左右方向に撓むおそれがない。
したがって、従脚に設けられた発条体がや支持部材が妄動するおそれがなく、常に水平方向を維持させることができるので、発条体が奏する弾発力により支持部材を主脚の支持孔に係合させることができるから、脚の高さの調整を確実に行うことができる。
【０００８】
請求項３記載の衣服かけ具の発明は、請求項１または２記載の衣服かけ具の発明において、
前記の主脚の上方よりに、外側から従脚に向けて摺動自在な締付部材が設けられてなることを特徴とするものである。
【０００９】
請求項３記載の衣服かけ具の発明は、上記のとおりであるから、請求項１または２記載の発明が奏する作用効果のほかに、主脚の上方寄りに、摺動自在な締付部材が設けられてなるから、前記した従脚の発条体を介して設けられた支持部材と主脚の支持孔による固定に加えて締付部材を摺動させることにより、従脚の固定の確実性を期待することができる。
【００１０】
【発明の実施の形態】
この発明の実施の形態に係る図面を参照して説明する。
図１はこの発明の実施の形態に係る衣服かけ具の正面図斜視図、図２はこの発明の実施の形態に係る衣服かけ具の要部の拡大一部断面図、図３はこの発明の実施の形態に係る衣服かけ具の制御部材の分解斜視図、図４は従来例の要部の拡大一部断面図である。
【００１１】
図１ないし図３を参照してこの発明の実施の形態に係る衣服かけ具１０について説明する。
この実施の形態に係る衣服かけ具１０の全体の構成は、基本的に従来例と比較して変化しない。
したがって、両側に一対の脚１２が設けられており、一対の脚１２は高さを昇降自在に調整できるように構成されている。
高さを調整できる具体的構成は、大径の中空の主脚１４と該主脚１４内を昇降自在にできるように従脚１６が挿入されている。
図面上、従脚１６は断面円形のパイプであるが、円柱などパイプに制約されない。
また、主脚１４と従脚１６の断面は一般的に円形であるが、四角形など円形に制約されない。
これらの主脚１４と従脚１６が両側に一対垂設され、両者１４、１６間の上端寄りに衣服を吊り下げる横棒１８が横架されている。
【００１２】
他方、前記した横棒１８と対称的に一対の脚１２間の下方寄りに補強杆２０が横架され、知られるようにその下方の両側には、取付部材２２を介してキャスタ２４、２４がそれぞれ装着されている。
【００１３】
そこで、さらに、この発明の詳細を説明すると、前記した両側の主脚１４の向かいあった内側面には外側に開放された支持孔２６が一定の間隔毎にこの実施の形態では一側と他側の主脚１４にそれぞれ４個毎設けられている。
詳細については後述するが、前記した従脚１６、１６を４段階の高さに調整できるように図られている。
前記した支持孔２６を両側の主脚１４の向かいあった内側面に設けることを説明したが、支持孔２６は衣服かけ具１０に露呈するから、好ましくは美観を考慮して設けたものである。
その数は４個の例を挙げたが、少なくとも１個設ける必要があるものの、その数は自由である。
【００１４】
前記した支持孔２６の大きさは追って詳細を説明するが、ボールベアリングなどの支持部材３０ｃが主脚１４に設けられた支持孔２６から飛び出ることのないように支持部材３０ｃに比較して若干大きく設けられている。
【００１５】
両側の従脚１６、１６にそれぞれ設けられる脚１２の高さを調整する制御部材３０について説明すると、円筒状のカラー３０ａ内にコイルスプリングなどの発条体３０ｂが装填され、発条体３０ｂ一側に前記したボールベアリングなどの支持部材３０ｃが溶接などの手段により固定されている。
したがって、常態において、発条体３０ｂは最大に伸張した状態になり、支持部材３０ｃは伸張した状態の発条体３０ｂの一側端に位置することになる。
【００１６】
そこで、前記した制御部材３０を好ましくは従脚１６、１６内の下方よりであって従脚１６、１６の軸芯に対してカラー３０ａや発条体３０ｂが直角方向に位置するように内装されている。
この場合、カラー３０ａの両側端はそれぞれ従脚１６、１６の内面に溶接などの適宜の手段により固定させることにより、制御部材３０を従脚１６、１６内に確実に装着させることができる。
【００１７】
発条体３０ｂと支持部材３０ｃを従脚１６内に装着させるために両者３０ｂ、３０ｃを円筒状のカラー３０ａ内に装填する例を挙げたが、支持部材３０ｃを発条体３０ｂを介して確実に従脚１６内に装着できるならば、両者３０ｂ、３０ｃを円筒状のカラー３０ａ内に必ずしも装填することに拘らない。
たとえば、図示を省略したが、円柱状の部材の周囲にコイルスプリングなどの発条体を巻き付けるようにしてもよい。
【００１８】
先に制御部材３０を好ましくは従脚１６の下方寄りに設けることを説明しが、この実施の形態のように、主脚１４に４個の支持孔２６を設けることにより、従脚１６を最大に降下させ、主脚１４の最下方に位置する支持孔２６に制御部材３０を係合させる場合に備えているものである。
つまり、従脚１６の下方寄りに制御部材３０を設けることが生産技術上楽に行うことができること、そして制御部材３０を従脚１６の下方寄りに設けることにより、前記したように、主脚１４の最下方に位置する支持孔２６に制御部材３０を係合させることができるからである。
【００１９】
次に、従脚１６に設けられた制御部材３０と主脚１４に設けられた支持孔２６との組み合わせについて説明する。
両側の一対の主脚１４内に従脚１６が前記したとおり、昇降自在に設けられるが、昇降自在に設けられることに加えて制御部材３０の支持部材３０ｃが主脚１４に設けられた支持孔２６に臨ませて発条体３０ｂが圧縮状態により設けられていることである。
【００２０】
かくして、制御部材３０の発条体３０ｂや支持部材３０ｃはカラー３０ａ内で妄動することなく、常態では支持部材３０ｃが圧縮状態により保持されている。そして、脚１２の高さを調整するため、従脚１６を使用者の好みに応じて適宜に昇降させ、前記の支持部材３０ｃが主脚１４に設けられた支持孔２６に臨ませることにより、支持部材３０ｃは発条体３０ｂの弾発力の作用を受けて支持孔２６側に進出するものの、支持孔２６の大きさを支持部材３０ｃに比較して多少小さく設けることにより、支持部材３０ｃの一部が支持孔２６に係合される。
その結果、従脚１６の高さは制御部材３０の位置に支配され、一定の高さに調整される。
【００２１】
さらにいえば、前記の発条体３０ｂは常態では支持部材３０ｃが主脚１４の支持孔２６に係合され、発条体３０ｂが伸張した状態にあるから、その弾発応力は横棒１８および補強杆２０と平行方向に奏するので、その応力に追従して主脚１４と従脚１６からなる脚１２が僅かではあるものの、左右方向に撓むおそれがある
。
【００２２】
ところが、主脚１４と従脚１６からなる両側一対の脚１２は、前記した横棒１８および補強杆２０によって支えられているから、左右方向に撓むおそれがない。
したがって、従脚１６に設けられた発条体３０ｂがや支持部材３０ｃが妄動するおそれがなく、常に水平方向を維持させることができるので、発条体３０ｂが奏する弾発力により支持部材３０ｃを主脚１４の支持孔２６に係合させることができるから、脚１２の高さの調整を確実に行うことができるように配慮されている。
【００２３】
この実施の形態では、衣服かけ具１０の美観に配慮し、主脚１４の支持孔２６を内側に設ける例を挙げたが、機能上の観点からいえば、主脚１４の支持孔２６は主脚１４の外側に設け、制御部材３０の発条体３０ｂを横棒１８および補強杆２０と平行に設け、支持部材３０ｃを主脚１４の外側に向けて設けることも予定されている。
【００２４】
この発明では、上記の構成から明らかなように、単に従脚１６を昇降させるだけで脚１２の高さを調整できるから、従来の高さの制御機構のようにボルトなどの締め付け具を主脚から従脚に向けていちいち操作する面倒な作業を必要としない利便がある。
支持孔２６に係合された支持部材３０ｃは従脚１６の昇降時に従脚１６の昇降に伴う応力を受けて強制的に発条体３０ｂを圧縮させつつ支持孔２６から外れるので従脚１６の昇降操作に格別の困難性はない。
【００２５】
なお、制御部材３０による脚１２の高さの調整に加えて、調整後の脚１２の高さの一層の保持を図るため、主脚１４、１４の上方寄りの位置にねじなどの締付具３２を設け、従脚１６に向けて進退させることにより、主脚１４、１４と従脚１６の固定を図るようにすることは自由である。
【００２６】
この発明の実施の形態では、脚１２を構成する主脚１４従脚１６の断面形態は円形を予定したが、従脚１６を主脚１４に対して昇降できるなら、その形態は問わない。
とりわけ、従脚１６は従来のように締付具のねじを螺入させるため、複数個の支持孔を設ける必要性から一般的に中空パイプが採用されたが、この発明では制御部材３０を設けるスペースを必要とするものの、支持孔を設ける必要性がないから、従脚１６の種類が中空パイプに限定されることがなく、従脚１６の種類の拡大に寄与できる。
【００２７】
また、その材質も金属を予定しているが、その種類を問わない。
この発明は、衣服かけ具を対象としたが、一対に脚１２のうち、１脚のみをそっくり、物干し竿などの他の家具類や伸縮自在な部材などに転用できる。
【図面の簡単な説明】
【図１】この発明の実施の形態に係る衣服かけ具の正面図斜視図である。
【図２】この発明の実施の形態に係る衣服かけ具の要部の拡大一部断面図である。
【図３】この発明の実施の形態に係る衣服かけ具の制御部材の分解斜視図である。
【図４】従来例の要部の拡大一部断面図である。
【符号の説明】
１０　衣服かけ具
１２　脚
１４　主脚
１６　従脚
１８　横棒
２０　補強杆
２２　取付部材
２４　キャスタ
２６　支持孔
３０　制御部材
３０ａ　カラー
３０ｂ　発条体
３０ｃ　支持部材
３２　締付具
４０　従来例の主脚
４２　従来例の従脚
４４　従来例の支持孔
４６　従来例の締付具
【図１】
2004033512.tif 000003
【図２】
2004033512.tif 000004
【図３】
2004033512.tif 000005
【図４】
2004033512.tif 000006